(57)【特許請求の範囲】
【請求項１】
遊技機の遊技盤に固定され、前記遊技盤に沿って流下する遊技球を受け入れる入賞口を備えた遊技機用可変入賞装置であって、
前記遊技盤の盤面と交差する回動軸線を中心として回動可能に支持され、前記入賞口の開放状態を第１状態とする第１回動位置と、前記第１状態よりも前記遊技球が進入易い第２状態とする第２回動位置とに変位可能な回動片と、
前記回動片と接触可能な接触部を備えると共に、前記遊技盤の盤面と直交する前後方向において、前記回動片の後方に隣接した位置で揺動可能に支持され、前記回動片を前記第１回動位置に定める第１揺動位置と、前記回動片を前記第２回動位置に定める第２揺動位置とに変位可能な揺動部材と、
ソレノイド本体と、前記ソレノイド本体の励磁に応じてスライドするプランジャとを備えたアクチュエータと、
前記プランジャの前側先端部と連動すると共に、前記揺動部材又は当該揺動部材と連動する部材と接触可能な作用部を備え、前記プランジャの前記前側先端部の位置に応じて前記作用部が変位することで、前記揺動部材を前記第１揺動位置と前記第２揺動位置とに切り替える伝達部材と、
を備え、
前記ソレノイド本体の前端部が前記揺動部材の後端部よりも前側となる位置関係で、前記ソレノイド本体が前記揺動部材の周囲に配置され、
前記プランジャは、前記ソレノイド本体の励磁状態に応じ、前記ソレノイド本体よりも前方側に突出する突出位置と、前記突出位置よりも後退した後退位置とで変位する構成をなし、
前記作用部は、前記前後方向における前記ソレノイド本体の配置領域で変位する構成であり、
前記ソレノイド本体は、前記揺動部材の斜め上方に配置され、前記揺動部材と上下に重なる上下重畳部と、前記揺動部材と左右に重なる左右重畳部とを有し、
２つの前記回動片が左右で対をなしてそれぞれ配置され、
各回動片に対応した前記揺動部材が対をなしてそれぞれ配置され、それら対をなす前記揺動部材を連結する連結部が前記ソレノイド本体側に凸となる形状で構成されて揺動ユニットが構成されており、
前記伝達部材は、前記揺動ユニットと前記ソレノイド本体との間に介在する延出部を備え、前記作用部は、前記延出部に形成されると共に前記連結部に接触して作用する構成となっていることを特徴とする遊技機用可変入賞装置。
【請求項２】
前記後退位置における前記プランジャの前記前側先端部の位置が、前記揺動部材の揺動軸よりも前方位置となる構成で配置されていることを特徴とする請求項１に記載の遊技機用可変入賞装置。
【請求項３】
前記揺動部材の揺動軸が、前記ソレノイド本体の前端部よりも後方に位置していることを特徴とする請求項１又は請求項２に記載の遊技機用可変入賞装置。
【請求項４】
前記遊技盤の盤面に沿って配置される台板を備え、
前記アクチュエータは、前記台板の後方側に配置され、前記プランジャの前記前側先端部が、前記ソレノイド本体と前記台板との間を前後に往復動することを特徴とする請求項１から請求項３のいずれか一項に記載の遊技機用可変入賞装置。
【請求項５】
前記台板から後方側に延出する構成をなし、前記遊技盤に形成された取付孔に挿入された状態で前記遊技盤に固定される保持フレームを備え、
前記アクチュエータは、前記プランジャの前記前側先端部が前記取付孔内に収容される位置で、前記保持フレームに保持されていることを特徴とする請求項４に記載の遊技機用可変入賞装置。
【請求項６】
前記アクチュエータは、前記揺動部材の側方に配置され、
前記プランジャの前記前側先端部が移動する移動領域の、上方、下方、及び前記揺動部材とは反対側の側方を連続的に被覆する被覆部が、前記台板と前記ソレノイド本体の前端部との間に亘って設けられていることを特徴とする請求項４又は請求項５に記載の遊技機用可変入賞装置。
【請求項７】
前記入賞口の上方に上部入賞口が設けられ、
前記上部入賞口の後方には、当該上部入賞口に進入した前記遊技球を後方に誘導する上部誘導路が設けられ、
前記入賞口の後方には、当該入賞口に進入した前記遊技球を後方に誘導する下部誘導路が設けられており、
前記ソレノイド本体が、前記上部誘導路及び前記下部誘導路の側方に配置され、当該ソレノイド本体の一部が、前記上部誘導路と前記下部誘導路との間に入り込んでいることを特徴とする請求項１から請求項６のいずれか一項に記載の遊技機用可変入賞装置。
【請求項８】
前記入賞口の後方において、前記入賞口に進入した前記遊技球を、一対の前記揺動部材の間を通して後方に誘導する誘導路が設けられ、
前記誘導路の後端側には、当該誘導路を移動する前記遊技球を通す開口部が形成されており、
一対の前記揺動部材は、前記誘導路の上方に配置される湾曲形態の湾曲連結部によって連結されており、
前記湾曲連結部は、一対の前記揺動部材の揺動に応じて前後に移動し、一対の前記揺動部材が前記第２揺動位置となった場合に、前記開口部に当接すると共に、当該開口部の湾曲形状に沿って配置されることを特徴とする請求項１から請求項７のいずれか一項に記載の遊技機用可変入賞装置。
【請求項９】
請求項１から請求項８のいずれか一項に記載の遊技機用可変入賞装置が前記遊技盤に配置されたことを特徴とする遊技機。
【発明の詳細な説明】
【技術分野】
【０００１】
本発明は、遊技機用可変入賞装置及びそれを備えたパチンコ機等の遊技機に関する。
【背景技術】
【０００２】
近年の遊技機では、遊技者の興趣を高めることを目的として、遊技領域内の中央部付近に配置される液晶表示装置や役物（いわゆるセンター役物）が大型化する傾向にあり、入賞装置等の他の部品は、機能を充実させつつ、よりコンパクトに構成することが求められている。
【０００３】
このような課題に関する技術としては、例えば、特許文献１のようなものが提供されている。この特許文献１では、入賞装置（電動役物）の小型化に関する技術が開示されており、一対の回動片（可動翼片対）の後方に配される球流路の後方にソレノイド及びプランジャを配置することで、これら部品と球流路との干渉を無くして上下方向の寸法を抑え、更に、球流路の側方にプランジャと連動するスライド部材を配置することで、一対の回動片（可動翼片対）の駆動をも可能としている。
【先行技術文献】
【特許文献】
【０００４】
【特許文献１】特開２００８−１７３４１３号公報
【特許文献２】特開平７−２８４５５６号公報
【発明の概要】
【発明が解決しようとする課題】
【０００５】
上記特許文献１の構成によれば、確かに上下方向の寸法は抑えることができるが、球流路と干渉しない後方位置にソレノイドやプランジャを配置しなければならならないため、前後方向（遊技機の奥行方向）の寸法増大が問題となる。特に、近年の遊技機では、液晶表示装置やセンター役物の大型化、或いは遊技機自体の高機能化に起因して、遊技盤裏面側に多種多様な部品（例えば、遊技球の流路や各種電気部品等）が数多く配置される傾向にあり、前後方向（遊技機の奥行方向）の小型化が重要視されている。従って、特許文献１のように前後方向に嵩張らせることは避けるべきであり、このように前後方向のサイズが増大してしまうと、遊技盤裏面側の他部品と干渉しやすく、遊技盤裏面側の各種部品の配置スペースを確保し難くなるという問題が深刻となる。
【０００６】
一方、入賞装置の小型化に関する技術としては、特許文献２のようなものも提供されている。この特許文献２の入賞装置では、取付板に形成した球入口の前面両側に一対の回動片（可動片）を設け、この回動片（可動片）の軸杆を揺動部材（レバー部材）によって操作している。更に、揺動部材（レバー部材）の後端部よりも前側にソレノイドを配置し、このソレノイドの後方側に突出させる構成でプランジャを配置している。この構成によれば、前後方向において、ソレノイドの配置領域と揺動部材（レバー部材）の配置領域とを重ねて配置することができるため、装置全体の前後方向（奥行方向）のサイズを効果的に抑えることができる。
【０００７】
しかしながら、特許文献２の構成は、プランジャの後端部（係合部）を揺動部材（レバー部材）と係合させており、このプランジャの後端部が装置後方側で露出した状態で、突出及び退避し得る構成となっている。従って、入賞装置の外部からプランジャの後端部に接触しやすく、プランジャに対する不正操作を防止し難いという懸念がある。特に、プランジャの作用部（係合部）が遊技盤とは反対側で露出することになるため、入賞装置を遊技盤から取り外さずとも後方側からプランジャ後端部（係合部）を容易に操作できることになってしまうため、針金などの不正器具による不正操作の虞を排除し得ない。
【０００８】
本発明は、上述した課題を解決するためになされたものであり、前後方向のコンパクト化を図ると共に、アクチュエータに対する不正操作を効果的に防止し得る遊技機用可変入賞装置及び遊技機を提供することを目的とする。
【課題を解決するための手段】
【０００９】
本発明は、遊技機の遊技盤に固定され、前記遊技盤に沿って流下する遊技球を受け入れる入賞口を備えた遊技機用可変入賞装置であって、前記遊技盤の盤面と交差する回動軸線を中心として回動可能に支持され、前記入賞口の開放状態を第１状態とする第１回動位置と、前記第１状態よりも前記遊技球が進入し易い第２状態とする第２回動位置とに変位可能な回動片と、前記回動片と接触可能な接触部を備えると共に、前記遊技盤の盤面と直交する前後方向において、前記回動片の後方に隣接した位置で揺動可能に支持され、前記回動片を前記第１回動位置に定める第１揺動位置と、前記回動片を前記第２回動位置に定める第２揺動位置とに変位可能な揺動部材と、ソレノイド本体と、前記ソレノイド本体の励磁に応じてスライドするプランジャとを備えたアクチュエータと、前記プランジャの前側先端部と連動すると共に前記揺動部材又は当該揺動部材と連動する部材と接触可能な作用部を備え、前記プランジャの前記前側先端部の位置に応じて前記作用部が変位することで、前記揺動部材を前記第１揺動位置と前記第２揺動位置とに切り替える伝達部材と、を備え、前記ソレノイド本体の前端部が前記揺動部材の後端部よりも前側となる位置関係で、前記ソレノイド本体が前記揺動部材の周囲に配置され、前記プランジャは、前記ソレノイド本体の励磁状態に応じ、前記ソレノイド本体よりも前方側に突出する突出位置と、前記突出位置よりも後退した後退位置とで変位する構成をなし、前記作用部は、前記前後方向における前記ソレノイド本体の配置領域で変位することを特徴とする。
【００１０】
また、本発明において、更に、前記後退位置における前記プランジャの前記前側先端部の位置が、前記揺動部材の揺動軸よりも前方位置となる構成で配置されていてもよい。
【００１１】
また、本発明において、更に、前記揺動部材の揺動軸が、前記ソレノイド本体の前端部よりも後方に位置していてもよい。
【００１２】
また、本発明において、更に、前記遊技盤の盤面に沿って配置される台板が設けられ、前記アクチュエータが、前記台板の後方側に配置され、前記プランジャの前記前側先端部が、前記ソレノイド本体と前記台板との間を前後に往復動するように構成されていてもよい。
【００１３】
また、本発明において、更に、前記台板から後方側に延出する構成をなし、前記遊技盤に形成された取付孔に挿入された状態で前記遊技盤に固定される保持フレームが設けられていてもよい。この場合、前記アクチュエータは、前記プランジャの前記前側先端部が前記取付孔内に収容される位置で、前記保持フレームに保持されることが望ましい。
【００１４】
また、本発明は、前記アクチュエータが、前記揺動部材の側方に配置された構成であってもよい。この場合、前記プランジャの前記前側先端部が移動する移動領域の、上方、下方、及び前記揺動部材とは反対側の側方を連続的に被覆する被覆部が、前記台板と前記ソレノイド本体の前端部との間に亘って設けられることが望ましい。
【００１５】
また、本発明は、前記ソレノイド本体が、前記揺動部材の斜め上方に配置された構成であってもよい。この場合、当該ソレノイド本体において、前記揺動部材と上下に重なる上下重畳部と、前記揺動部材と左右に重なる左右重畳部とが設けられていることが尚望ましい。
【００１６】
また、本発明において、更に、前記入賞口の上方に上部入賞口が設けられ、前記上部入賞口の後方に、当該上部入賞口に進入した前記遊技球を後方に誘導する上部誘導路が設けられ、前記入賞口の後方に、当該入賞口に進入した前記遊技球を後方に誘導する下部誘導路が設けられ、前記ソレノイド本体が、前記上部誘導路及び前記下部誘導路の側方に配置され、当該ソレノイド本体の一部が、前記上部誘導路と前記下部誘導路との間に入り込むように構成されていてもよい。
【００１７】
また、本発明において、更に、２つの前記回動片が左右で対をなしてそれぞれ配置され、各回動片に対応した前記揺動部材が対をなしてそれぞれ配置され、前記入賞口の後方において、前記入賞口に進入した前記遊技球を、一対の前記揺動部材の間を通して後方に誘導する誘導路が設けられ、前記誘導路の後端側に、当該誘導路を移動する前記遊技球を通す開口部が形成され、更には、一対の前記揺動部材が、前記誘導路の上方に配置される湾曲形態の湾曲連結部によって連結されていてもよい。この場合、前記湾曲連結部は、一対の前記揺動部材の揺動に応じて前後に移動し、一対の前記揺動部材が前記第２揺動位置となった場合に、前記開口部に当接すると共に、当該開口部の湾曲形状に沿って配置されるように構成されていることが望ましい。
【００１８】
また、本発明に係る遊技機用可変入賞装置を前記遊技盤に配置することで、特徴的な遊技機を構成することもできる。
【発明の効果】
【００１９】
本発明では、ソレノイド本体の前端部が揺動部材の後端部よりも前側となる位置関係で、ソレノイド本体が揺動部材の周囲に配置されている。従って、ソレノイド本体を揺動部材よりも後方に配置する従来構成と比較して、前後方向のサイズを抑えることができ、後方側に嵩張らない構成とすることができる。
また、プランジャが、ソレノイド本体の励磁状態に応じ、ソレノイド本体よりも前方側に突出する突出位置と、この突出位置よりも後退した後退位置とで変位する構成をなしている。このように構成すると、ソレノイド本体をより前方側に配置した上で、更にその前方でプランジャを変位させることができる。従って、プランジャやプランジャヘッドが後方側から露出するような構成と比較して、後方側からプランジャに接触し、操作することが困難となり、プランジャ付近の不正操作を効果的に防止できる。
一方、上記のように、ソレノイド本体及びプランジャをより前方側に配置し、「前後方向のコンパクト化」及び「不正防止機能の向上」を共に実現しようとすると、プランジャの前側先端部の動作を揺動部材に伝達し難くなるが、本発明では、プランジャの前側先端部と連動する伝達部材が設けられ、この伝達部材に設けられた作用部が、前後方向においてソレノイド本体の配置領域で変位可能とされる。この作用部は、揺動部材又はこれと連動する部材と接触して、当該揺動部材を連動させる機能を有しているため、プランジャの駆動力を揺動部材に良好に伝達できるようになる。特に、作用部が、前後方向におけるソレノイド本体の配置領域（即ち、ソレノイド本体の前端よりも後ろの領域）で変位するため、ソレノイド本体をより前方に配置し、更にその前方側でプランジャを変位させるという特徴的な構成を採用しつつも、揺動部材に力を伝達する部分（作用部）については、それほど前側に配置せずに済み、揺動部材をより円滑に揺動させやすくなる。
【００２０】
更に、プランジャが後退位置となったときのプランジャ前側先端部の位置が、揺動部材の揺動軸よりも前方位置となるように構成すると、プランジャをより一層前方側で変位させることができ、不正防止効果が一層高まる。また、揺動軸をそれほど前側に配置せずに済むため、揺動軸から接触部（回動片と接触する部分）までの長さを短くし過ぎることなく適切なアーム長さを確保しやすくなる。
【００２１】
更に、揺動部材の揺動軸が、ソレノイド本体の前端部よりも後方に位置する構成とすると、ソレノイド本体をより前方に配置することができるため、装置全体の前後方向のサイズを一層小さくすることができる。また、揺動軸がソレノイド本体の前側先端部よりも後ろに位置するため、前後方向のサイズをコンパクト化しつつも、揺動軸から接触部（回動片と接触する部分）までの長さ（アーム長さ）については適切な長さを確保しやすくなる。
【００２２】
また、遊技盤の盤面に沿って台板が配置され、アクチュエータが、この台板の後方側に配置され、プランジャの前側先端部が、ソレノイド本体と台板との間を前後に往復動する構成とすると、台板の後方領域を利用してアクチュエータをより前方側に配置することができる。また、台板とソレノイド本体との間をプランジャの前側先端部が往復動する構成であるため、前側先端部の移動領域の前方が台板で覆われ、後方がソレノイド本体に覆われた格好となる。従って、プランジャの前側先端部を、後方側から接触、操作することも、前方側から接触、操作することも困難となり、当該前側先端部に対する不正操作をより一層効果的に防止することができる。
【００２３】
また、遊技盤に形成された取付孔に挿入された状態で台板から後方側に延出するように保持フレームが配置され、遊技盤取付時に、プランジャの前側先端部が取付孔内に収容されるような構成で、アクチュエータが保持フレームに保持されるようにすると一層良い。このようにすると、当該遊技機用可変入賞装置が遊技盤に取り付けられた際に、プランジャの前側先端部が取付孔に収容された状態において当該取付孔内で変位するようになり、プランジャの前側先端部に対する不正操作が極めて困難となる。
【００２４】
また、アクチュエータが、揺動部材の側方に配置され、プランジャの前側先端部が移動する移動領域の、上方、下方、及び揺動部材とは反対側の側方を連続的に被覆する被覆部が、台板とソレノイド本体の前端部との間に亘って設けられた構成とすると、より一層不正防止効果が大きくなる。このようにすると、プランジャ前側先端部の移動領域の前後がそれぞれ台板とソレノイド本体とで覆われると共に、台板からソレノイド本体の位置に至るまで、前記移動領域の外周が被覆部に覆われることとなる。従って、プランジャの前側先端部に対する前後、左右、上下いずれからの接触、操作も極めて困難となる。
【００２５】
また、ソレノイド本体が、揺動部材の斜め上方に配置され、更に、当該ソレノイド本体において、揺動部材と上下に重なる上下重畳部と、揺動部材と左右に重なる左右重畳部とが設けられた構成とすることで、ソレノイド本体を揺動部材の周囲に配置して前後方向のコンパクト化を図りつつ、上下方向及び左右方向の嵩張りをも極力抑えることができる。
【００２６】
また、入賞口の上方に上部入賞口が設けられ、上部入賞口の後方に、当該上部入賞口に進入した遊技球を後方に誘導する上部誘導路が設けられ、入賞口の後方に、当該入賞口に進入した遊技球を後方に誘導する下部誘導路が設けられた構成とするとより一層効果的である。特に、ソレノイド本体が、上部誘導路及び下部誘導路の側方に配置され、当該ソレノイド本体の一部が、上部誘導路と下部誘導路との間に入り込むように構成されていると、ソレノイド本体を上部誘導路及び下部誘導路の側方に配置して前後方向のサイズを抑えると共に、上部誘導路と下部誘導路との間のスペースを利用してソレノイド本体の一部を配置し、左右方向の嵩張りをも抑えることができ、装置全体を一層小型化することができる。
【００２７】
また、入賞口の後方において、入賞口に進入した遊技球を、一対の揺動部材の間を通して後方に誘導する誘導路が設けられ、この誘導路の後端側に、当該誘導路を移動する遊技球を通す開口部が形成されていると更なる効果が期待できる。特に、一対の揺動部材が誘導路の上方に配置される湾曲形態の湾曲連結部によって連結され、この湾曲連結部が、一対の揺動部材の揺動に応じて前後に移動し、これら一対の揺動部材が第２揺動位置となったときに、開口部に当接し、当該開口部の湾曲形状に沿って配置されるように構成されていると、単一の駆動源によって一対の揺動部材を一体的に駆動でき、入賞口の開放状態が相対的に入賞しやすい状態（第２状態）となるときに、湾曲連結部を開口部に当接させて安定的に位置決めすることができる。また、湾曲連結部が開口部に当接するときには、当該湾曲連結部が開口部の湾曲形状に沿って配置されるため、湾曲連結部と開口部との形状的な連続性が高くなり、誘導路を通る遊技球をより円滑に開口部に案内しやすくなる。
【００２８】
また、本発明に係る遊技機用可変入賞装置を遊技盤に設けた遊技機とすることで、上述の効果を奏する遊技機を実現できる。更に、前後方向のコンパクト化が図られた遊技機用可変入賞装置が用いられるため、遊技盤裏面に各種部品をより自由度高く配置することができ、ひいては、より高機能な遊技機を実現しやすくなる。
【図面の簡単な説明】
【００２９】
【図１】図１は、本発明の第１実施形態に係る遊技機用可変入賞装置を備えた遊技機を例示する正面図である。
【図２】図２は、第１実施形態に係る遊技機用可変入賞装置の正面図であり、（ａ）は、入賞口が閉じた状態を示す図であり、（ｂ）は、入賞口が開いた状態を示す図である。
【図３】図３は、第１実施形態に係る遊技機用可変入賞装置を斜め前方から見た斜視図であり、（ａ）は、入賞口が閉じた状態を示す図であり、（ｂ）は、入賞口が開いた状態を示す図である。
【図４】図４は、第１実施形態に係る遊技機用入賞装置の分解斜視図である。
【図５】図５は、第１実施形態に係る遊技機用入賞装置を斜め後方上側から見た斜視図である。
【図６】図６は、第１実施形態に係る遊技機用入賞装置を斜め後方下側から見た斜視図である。
【図７】図７は、回動片、揺動部材、伝達部材、プランジャの関係を示す側面図であり、（ａ）は、入賞口が閉じた状態のときの構成を示す図であり、（ｂ）は、入賞口が開いた状態のときの構成を示す図である。
【図８】図８は、回動片、揺動部材、伝達部材、プランジャの関係を示す平面図であり、（ａ）は、入賞口が閉じた状態のときの構成を示す図であり、（ｂ）は、入賞口が開いた状態のときの構成を示す図である。
【図９】図９は、回動片、揺動部材、伝達部材、プランジャ、ソレノイド本体の関係を斜め後方から示す斜視図であり、（ａ）は、入賞口が閉じた状態のときの構成を示す図であり、（ｂ）は、入賞口が開いた状態のときの構成を示す図である。
【図１０】図１０は、回動片、揺動部材、伝達部材、プランジャ、ソレノイド本体の関係を示す側面図であり、（ａ）は、入賞口が閉じた状態のときの構成を示す図であり、（ｂ）は、入賞口が開いた状態のときの構成を示す図である。
【図１１】図１１は、回動片、揺動部材、伝達部材、プランジャ、ソレノイド本体の関係を示す平面図であり、（ａ）は、入賞口が閉じた状態のときの構成を示す図であり、（ｂ）は、入賞口が開いた状態のときの構成を示す図である。
【図１２】図１２は、遊技盤に取り付けられた遊技機用可変入賞装置を示す平面一部断面図である。
【図１３】図１３は、第１実施形態に係る遊技機用可変入賞装置の背面図である。
【図１４】図１４は、図１３のＡ−Ａ位置の切断面を示す断面図であり、（ａ）は、入賞口が閉じた状態を示す図であり、（ｂ）は、入賞口が開いた状態を示す図である。
【発明を実施するための形態】
【００３０】
[第１実施形態]
以下、本発明に係る遊技機用可変入賞装置及び遊技機を具現化した第１実施形態について、図面を参照して説明する。なお、図１は、第１実施形態に係る遊技機用可変入賞装置を備えた遊技機を例示する正面図であり、まず、図１を参照して遊技機１の概要を説明する。
【００３１】
（遊技機の構成）
図１に示す遊技機１は、いわゆるパチンコ機として構成されるものであり、木板、アクリル板等によって構成される遊技盤２の盤面(遊技盤２の前面)２ａに沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、横長の大入賞口を可変扉４ａによって開閉し得るアタッカー４が配置されている。そして、液晶表示部３とアタッカー４との間には、本発明に係る遊技機用可変入賞装置１０が配置されている。なお、遊技機１には、遊技盤２の前方において当該遊技盤２とほぼ平行に透明板（ガラス板等）が配置され、この透明板と遊技盤２との間を遊技球Ｂが流下するように構成されている。  
【００３２】
（遊技機用可変入賞装置の構成）
以下、第１実施形態に係る遊技機用可変入賞装置１０について詳述する。図２は、第１実施形態に係る遊技機用可変入賞装置１０の正面図であり、（ａ）は、入賞口２０が閉じた状態を示す図であり、（ｂ）は、入賞口２０が開いた状態を示す図である。また、図３は、この遊技機用可変入賞装置１０を斜め前方から見た斜視図であり、（ａ）は、入賞口２０が閉じた状態を示す図であり、（ｂ）は、入賞口２０が開いた状態を示す図である。
【００３３】
遊技機用可変入賞装置１０（以下、入賞装置１０ともいう）は、図１に示すように遊技機１の遊技盤２に固定され、その一部を遊技盤前方側に視認可能に露出させて用いられるものである。この入賞装置１０は、図２、図３に示すように、遊技盤２に沿って流下する遊技球Ｂを受け入れ可能な入賞口２０を備えており、更にこの入賞口２０の上方にも、遊技球Ｂを受け入れ可能な上部入賞口４０を備えた構成をなしている。このうち、一方の入賞口２０は、後述する回動片２１，２２の回動位置に応じて、開放状態が変化する構成をなし、図２（ａ）、図３（ａ）に示す第１状態と、図２（ｂ）、図３（ｂ）に示す第２状態（第１状態よりも遊技球Ｂが進入し易い状態）とで切り替わる可変入賞口として構成されている。また、他方の入賞口（上部入賞口４０）は、開放状態が変化せず、常に一定の開放状態で維持される固定入賞口として構成されている。
【００３４】
本明細書において、「前後方向」とは、当該遊技機用可変入賞装置１０が取り付けられる遊技盤２の盤面２ａと直交する方向を意味し、回動片に対し、揺動部材が配置される側（即ち遊技機奥側）を後方側、それとは反対側（即ち、遊技者が位置するべき側）を前方側とする。なお、本実施形態では、回動片２１，２２の回動軸線Ａ１，Ａ２と平行な方向が「前後方向」と一致している。
【００３５】
また、「上下方向」とは、当該遊技機用可変入賞装置１０が遊技盤２に取り付けられたときの鉛直方向を意味し、当該遊技機用可変入賞装置１０が遊技盤２に取り付けられたときの鉛直上方側を上方、鉛直下方側を下方とする。また、「左右方向」とは、上記「前後方向」及び「上下方向」と直交する方向を意味する。本実施形態では、一対の回動片２１，２２の並び方向（対向方向）が「左右方向」と一致しており、その並び方向及び回動軸線Ａ１、Ａ２の方向と直交する方向が「上下方向」と一致している。
【００３６】
次に、図４等を参照し、入賞装置１０を構成する各部品について詳述する。図４は、入賞装置１０の分解斜視図を示しており、図４に示すように、入賞装置１０は、遊技盤２に固定される遊技盤固定部材７０に対して前側から前側ベース部材８１が組み付けられ、遊技盤固定部材７０の後側には後側第１ベース部材８３が組み付けられるようになっている。また、後側第１ベース部材８３の更に後方には、後側第２ベース部材８５が組み付けられ、これら遊技盤固定部材７０、後側第１ベース部材８３、及び後側第２ベース部材８５によってハウジング８９（図５、図６等参照）が構成されている。
【００３７】
図３、図４に示すように、前側ベース部材８１は、遊技盤２の盤面２ａと略平行に配置される前板８１ａと、回動片２１，２２の下方に配置される底部８１ｂとを有し、底部８１ｂから上方に前板８１ａが立ち上がる形態をなしている。この前側ベース部材８１は、これら前板８１ａ及び底部８１ｂと、一対の回動片２１，２２と、後述する台板７２とによって遊技球Ｂを受ける箱状の受け部を構成しており、後述する回動片２１，２２の間に進入した遊技球Ｂを底部８１ｂで受け、この遊技球Ｂを、台板７２に形成された開口７２ａを介して底部８１の後方に配置される誘導路２６（後述）に誘導し得る構成をなしている。
【００３８】
図４に示すように、前側ベース部材８１には、前板８１ａから後方側に延びる前後方向の軸部（支軸）８２ａ，８２ｂが突出形態で設けられている。一方、この前側ベース部材８１に取り付けられるべき一対の回動片２１，２２は、図７〜図９に示すように、それぞれが長手状の回動片本体２１ｃ，２２ｃを備えており、それら回動片本体２１ｃ，２２ｃの長手方向一方寄りの位置に、前後方向に延びる孔部２１ａ，２２ａがそれぞれ形成されている（図９も参照）。各回動片２１，２２は、各孔部２１ａ，２２ａに前側ベース部材８１の各軸部８２ａ，８２ｂをそれぞれ挿入させた嵌合状態で、前側ベース部材８１に回動可能に支持され、前板８１ａと台板７２との間において両回動片２１，２２が互いに距離をあけて保持されている。なお、図４等では、回動片２１，２２を保持する軸として、前側ベース部材８１と一体的に形成された軸部８２ａ，８２ｂを例示したが、回動片２１，２２を回動可能に保持しうる構成であればよく、前側ベース部材８１とは別の軸部材として構成されていてもよい。例えば、軸部８２ａ，８２ｂに代えて、台板７２と前側ベース部材８１との間に挟み込む形態で前後方向に延びる一対の軸部材（例えば真鍮ピン等）を組み付け、これら軸部材に、回動片２１、２２が回動可能に支持されるようにしてもよい。
【００３９】
上記構成により、各回動片２１，２２は、図７、図８のような前後方向の軸線（回動軸線Ａ１，Ａ２）を中心として回動し得るようになっている。また、図７〜図９に示すように、これら一対の回動片２１，２２には、各回動片本体２１ｃ，２２ｃから後方に突出する軸部２１ｂ，２２ｂがそれぞれ形成されている。軸部２１ｂは、長手状の回動片本体２１ｃにおいて、回動軸線Ａ１に対し他端側（先端とは反対側）に設けられ、同様に、軸部２２ｂも、長手状の回動片本体２２ｃにおいて、回動軸線Ａ２に対し他端側（先端とは反対側）に設けられている。各回動片２１，２２は、これら軸部２１ｂ，２２ｂが後述する揺動部材３１，３２によって操作されることにより、それぞれ回転軸線Ａ１，Ａ２を中心として回動動作するようになっている。
【００４０】
図８（ａ）（ｂ）に示すように、回動片２１は、回動軸線Ａ１よりも内側（回動片２２側）において、軸部２１ｂが回動片本体２１ｃから後方に突出しており、図９（ａ）のように、揺動部材３１の先端側に形成された接触部３１ａが軸部２１ｂを下方位置に押し下げたとき（図１４（ａ）も参照）、回動片本体２１ｃの先端部を内側（回動片２２側）に移動させた位置（第１回動位置）に位置決めされ、図９（ｂ）のように揺動部材３１の接触部３１ａが軸部２１ｂを上方位置に押し上げたとき（図１４（ｂ）も参照）、回動片本体２１ｃの先端部を外側（回動片２２とは反対側）に移動させた位置（第２回動位置）に位置決めされるようになっている。また、他方の回動片２２も同様であり、図８（ａ）（ｂ）に示すように、回動軸線Ａ２よりも内側（回動片２１側）において、軸部２２ｂが回動片本体２２ｃから後方に突出しており、図９（ａ）のように、揺動部材３２の先端側に形成された接触部３２ａが軸部２２ｂを下方位置に押し下げたとき（図７（ａ）も参照）に、回動片本体２２ｃの先端部を内側（回動片２１側）に移動させた位置（第１回動位置）に位置決めされ、図９（ｂ）のように、揺動部材３２の接触部３２ａが軸部２２ｂを上方位置に押し上げたとき（図７（ｂ）も参照）、回動片本体２２ｃの先端部を外側に（回動片２１とは反対側）に移動させた位置（第２回動位置）に位置決めされるようになっている。
【００４１】
回動片２１，２２を操作する揺動部材３１，３２は、一体的に構成されて一体的に変位する構成をなしており、これら揺動部材３１，３２に操作される両回動片２１，２２は、図２、図３に示すように、同時に第１回動位置、第２回動位置に設定されるようになっている。そして、図２（ａ）、図３（ａ）のように、両回動片２１，２２が第１回動位置となったときには、両回動片本体２１ｃ，２２ｃの先端部が近接して入賞口２０が閉塞され、入賞口２０は、遊技球Ｂが進入不能な開放状態（第１状態）となり、図２（ｂ）、図３（ｂ）に示すように、両回動片２１，２２が第２回動位置になったときには、両回動片本体２１ｃ，２２ｃの先端部が離間することで、入賞口２０が開放され、遊技球Ｂが進入可能な開放状態（第２状態）となるように構成されている。
【００４２】
次に、揺動部材３１，３２について説明する。図７〜図９に示すように、揺動部材３１，３２は、回動片２１，２２の後方に配置され、ほぼ全体がハウジング８９（図５、図６）の内部に収容された構成をなし、このハウジング８９に揺動可能に保持されている。揺動部材３１，３２は、図８、図９に示すように、左右方向において少なくとも遊技球の直径以上の距離をあけて配置され、いずれも前後方向を長手方向とする構成で長手状に延びている。また、各揺動部材３１，３２の後端部付近を互いに連結する形態で、湾曲連結部３８が配置されており、この湾曲連結部３８の連結により、揺動部材３１，３２及び湾曲連結部３８が一体的な揺動ユニット３０として構成されている。なお、揺動部材３１，３２と湾曲連結部３８とは、一体に成形され（例えば樹脂成形等により一体成形され）、その一体成形された全体が揺動ユニット３０として機能している。
【００４３】
揺動ユニット３０は、一対の突起部３６ａ，３６ｂが形成されており、これら一対の突起部３６ａ，３６ｂが、ハウジング８９の両側部（具体的には、後側第１ベース部材８３の両側壁）に形成された軸受部８３ａ，８３ｂに回動可能に支持されている。そして、揺動ユニット３０全体がハウジング８９内で、所定の中心軸（揺動軸Ａ３）を中心として回動（揺動）し得るようになっている。
【００４４】
このように揺動ユニット３０が形成されることで、各揺動部材３１、３２が揺動軸Ａ３を中心として一体的に揺動することとなる。各揺動部材３１、３２の先端部に形成された接触部３１ａ，３２ａがそれぞれ揺動軸Ａ３を中心として変位し、各接触部３１ａ，３２ａがそれぞれ、図９（ａ）に示す下方位置と、図９（ｂ）に示す上方位置とで上下動するようになっている（図７（ａ）（ｂ）、図１４（ａ）（ｂ）も参照）。各接触部３１ａ，３２ａはそれぞれ、各回動片２１，２２と接触可能に構成されると共に、それぞれが、各軸部２１ｂ，２２ｂを上下に挟みこんでおり、各接触部３１ａ，３２ａの上下動と連動して各軸部２１ｂ，２２ｂが上下動するようになっている。
【００４５】
このように構成される揺動部材３１、３２は、後述するアクチュエータ５０の駆動力が伝達部材６０（後述）によって伝達されて揺動動作するようになっており、各接触部３１ａ，３２ａが図９（ａ）に示す下方位置となる揺動位置（第１揺動位置）において、各回動片２１，２２を第１回動位置に定め、各接触部３１ａ，３２ａが図９（ｂ）に示す下方位置となる揺動位置（第２揺動位置）において、各回動片２１，２２を第２回動位置に定めるように機能している。
【００４６】
次に、上記揺動部材３１，３２を収容するハウジング８９等について説明する。図４〜図６に示すように、ハウジング８９は、遊技盤固定部材７０、後側第１ベース部材８３、後側第２ベース部材８５が一体的に組み付けられた構成をなしている。このうち、遊技盤固定部材７０は、図１２に示すように、遊技盤２の盤面２ａに沿って配置される台板７２を備えると共に、上部入賞口４０と上部第１誘導路７３とが台板７２と一体的に連結された構成をなしている。なお、図１２は、遊技盤２に取り付けられた入賞装置１０を示す平面一部断面図であり、遊技盤２については断面を示し、入賞装置１０については平面図を示している。
【００４７】
図４、図５、図１２、図１４に示すように、上部入賞口４０は、一対の側壁４０ｂ，４０ｃと、これら側壁４０ｂ，４０ｃの前方側に連結される前壁４０ａと、底壁４０ｄとを備え、上方側及び後方側が開放された箱状形態をなしており、この上部入賞口４０の後方には、台板７２から後方側に延出する形態で上部第１誘導路７３が連結されている。この上部第１誘導路７３は、上部誘導路４６の一部をなすものであり、上方が開放された溝状に構成され、上部入賞口４０から台板７２の切欠部７２ｂを介して送られた遊技球Ｂを後方側に案内する構成をなしている。
【００４８】
図４〜図６、図１４に示すように、後側第１ベース部材８３は、上部第１誘導路７３の下方に配置されると共に、遊技盤固定部材７０に連結された構成をなしている。この後側第１ベース部材８３は、一対の側壁部８４ａ，８４ｂを備えると共に、底壁８４ｃを有している。これら一対の側壁部８４ａ，８４ｂ及び底壁８４ｃは、上記上部第１誘導路７３と共に、揺動ユニット３０を収容する収容部を構成しており、一対の側壁部８４ａ，８４ｂによって揺動ユニット３０の左右が覆われ、上部第１誘導路７３によって揺動ユニット３０の上方が覆われ、底壁８４ｃによって揺動ユニット３０の下方が覆われる形態で、揺動ユニット３０が収容されている。
【００４９】
また、図４に示すように、後側第１ベース部材８３は、台板７２に形成された開口部７２ａに隣接して一対の側壁部８４ａ，８４ｂ及び底壁８４ｃが溝状に配置される構成をなしており、これら一対の側壁部８４ａ，８４ｂ及び底壁８４ｃが、入賞口２０から開口部７２ａに送られた遊技球Ｂを後方側に誘導する誘導路２６の一部として構成されている（図１４も参照）。具体的には、各側壁部８４ａ，８４ｂの内側にそれぞれ隣接する構成で各揺動部材３１，３２が配置され、湾曲連結部３８が上部第１誘導路７３に隣接する形態でアーチ状に配置される構成をなしており、左右で対をなして配置される誘導部材３１，３２の間を通り、且つ湾曲連結部３８の下方を通るように遊技球Ｂが誘導路２６によって誘導されるようになっている。なお、誘導路２６は、「下部誘導路」の一例に相当するものである。
【００５０】
図１４に示すように、後側第１ベース部材８３の後方に組み付けられる後側第２ベース部材８５は、上壁８６ａ、一対の側壁８６ｂ，８６ｃを備え、下部に検出スイッチ９０が組み付けられている。この検出スイッチ９０は、後側第１ベース部材８３と後側第２ベース部材８５との間に挟み込まれる形態で、これら後側第１ベース部材８３及び後側第２ベース部材８５に保持されている。また、後側第２ベース部材８５は、上壁８６ａ及び一対の側壁８６ｂ，８６ｃの前端部に開口部２８が形成されている（図４、図６も参照）。この開口部２８は、後側第１ベース部材８３の側壁部８４ａ，８４ｂ及び底壁８４ｃに隣接しており、これらに沿って後方に移動する遊技球Ｂを当該開口部２８内に案内する構成をなしている。
【００５１】
後側第２ベース部材８５の上壁８６ａ及び一対の側壁８６ｂ，８６ｃは、遊技球Ｂを誘導する誘導路２６の一部として構成されており、後側第１ベース部材８３を通って送られてきた遊技球Ｂを進入させ、誘導する構成をなしている。具体的には、上壁８６ａ及び一対の側壁８６ｂ，８６ｃによって区画される内部空間の下方側に、検出スイッチ９０の孔部９１が配置されており、開口部２８を通って後側第２ベース部材８５の内部空間に進入した遊技球Ｂを、孔部９１を介して下方に落とすように構成されている。なお、検出スイッチ９０は、孔部９１内を遊技球Ｂが通過したことを検出可能な公知のスイッチとして構成されている。
【００５２】
また、図１２〜図１４に示すように、誘導路２６の一部をなす上壁８６ａの上方側には、この上壁８６ａと一体的に連結された構成で、上部第２誘導路８８が設けられている。この上部第２誘導路８８は、上部第１誘導路７３と共に上部誘導路４６を構成するものであり、図５、図１２に示すように、上部第１誘導路７３に隣接して配置されると共に、底壁８８ａ、側壁８８ｂ、後壁８８ｃを備えた構成をなしており、これらからなる左右方向の通路により、上部第１誘導路７３を通って後方に移動した遊技球Ｂを横方向に方向転換するように誘導している。なお、この上部第２誘導路８８を通って案内された遊技球Ｂは、例えば当該上部第２誘導路８８の誘導先に設けられた図示しない検出スイッチによって検出されるようになっている。
【００５３】
次に、アクチュエータ５０について説明する。アクチュエータ５０は、図９〜図１１に示すように、ソレノイド本体５２と、ソレノイド本体５２の励磁に応じてスライドするプランジャ５６とを備えてなるものであり、図５、図６のように、ハウジング８９の外側に一部を露出させた構成でハウジング８９に固定されている。
【００５４】
ソレノイド本体５２は、コイル５７を有しており、当該コイル５７の通電、非通電を切り替えることにより、励磁状態と非励磁状態とを切り替えうる構成をなしている。また、ソレノイド本体５２の内部に一部が挿入される構成（具体的にはコイル５７に形成された前後方向の孔内に一部が挿入される構成）で、金属材料などからなるプランジャ５６が設けられており、ソレノイド本体５２の励磁状態に応じてプランジャ５６が駆動されるようになっている。
【００５５】
図１０、図１１に示すように、ソレノイド本体５２は、前端部５２ａが揺動部材３１，３２の後端部３１ｃ，３２ｃ（図９も参照）よりも前側となる位置関係で、揺動部材３１，３２の周囲に配置されている。より具体的には、図９〜図１１に示すように、ソレノイド本体５２は、揺動部材３１の斜め上方に配置されており、図１０、図１１に示すように、揺動部材３１と上下に重なる上下重畳部（図１１において、揺動部材３１の上方を覆い隠す部分）と、揺動部材３１，３２）と左右に重なる左右重畳部(図１０において、揺動部材３２に覆い隠される部分)とを有している。
【００５６】
また、図１３に示すように、ソレノイド本体５２は、上部誘導路４６及び誘導路２６の側方に配置されており、当該ソレノイド本体５２の一部が、上部誘導路４６と誘導路２６との間に入り込んだ構成をなしている（図５、図６も参照）。具体的には、上述の上部第２誘導路８８を構成する底壁８８ａや側壁８８ｂの下方位置であって且つ後側第２ベース部材８５の上壁８６ａ及び側壁８６ｂの上方位置にソレノイド本体５２の一部（角部）が配置されており、横方向のコンパクト化が図られている。
【００５７】
プランジャ５６は、図１０、図１１に示すように、ソレノイド本体５２の前方側で動作伝達部（前側先端部５６ａ）が変位する構成をなしており、ソレノイド本体５２の励磁状態に応じ、ソレノイド本体５２よりも前方側に突出する突出位置（図９（ａ），図１０（ａ），図１１（ａ）参照）と、突出位置よりも後退した後退位置（図９（ｂ），図１０（ｂ），図１１（ｂ）参照）とで切り替わるようになっている。本実施形態では、図１１に示すように、プランジャ５６の前側先端部５６ａとソレノイド本体５２との間において、前側先端部５６ａをソレノイド本体５２から離間する方向に付勢するコイルばね５９（付勢部材）が設けられており、ソレノイド本体５２の通電時には、コイルばね５９の付勢に抗してプランジャ５６が電磁石として機能するソレノイド本体５２の内部側に引き込まれ、図１１（ｂ）のように後退位置に退避するようになっている。一方、ソレノイド本体５２の非通電時には、コイルばね５９の付勢によって前側先端部５６ａがソレノイド本体５２から離され、図１１（ａ）のように突出位置に位置決めされるようになっている。
【００５８】
また、図１２に示すように、遊技盤２の盤面２ａに沿って配置される台板７２から所定距離隔てた後方にソレノイド本体５２が配置されており、プランジャ５６の前側先端部５６ａは、図１２のように、ソレノイド本体５２と台板７２との間を前後に往復動する構成をなしている（図５、図６も参照）。なお、図１２では、プランジャ５６の前側先端部５６ａの位置を二点鎖線にて概念的に示しており、プランジャ５６が突出位置にあるときの前側先端部５６ａの位置を符号５６ａ’で示し、プランジャ５６が後退位置にあるときの前側先端部５６ａの位置を符号５６ａ”で示している。
【００５９】
また、図１１（ｂ）に示すように、プランジャ５６は、後退位置における前側先端部５６ａの位置が、揺動部材３１，３２の揺動軸Ａ３よりも前方位置となる構成で配置されている。なお、ソレノイド本体５２の前端部５２ａも、揺動部材３１，３２の揺動軸Ａ３よりも前方となるように配置されている。
【００６０】
また、本実施形態では、遊技盤固定部材７０において、台板７２から後方側に延出する保持フレーム７４が形成されており、この保持フレーム７４は、上述の上部第１誘導路７３と後述する被覆部７６とが一体的に連結されてなるものであり、図１２に示すように、遊技盤２に形成された取付孔２ｂに挿入された状態で遊技盤２に固定されている。
【００６１】
アクチュエータ５０は、揺動部材３１の側方に配置されており、図１２に示すように、プランジャ５６の前側先端部５６ａが取付孔２ｂ内に収容される位置で、保持フレーム７４に保持されている。このプランジャ５６の前側先端部５６ａは、被覆部７６に被覆された構成で当該被覆部７６と共に取付孔２ｂ内に収容されており、被覆部７６による被覆と、取付孔２ｂ内での収容とにより二重の保護がなされている。なお、プランジャ５６を覆う被覆部５６は、台板７２とソレノイド本体５２の前端部５２ａとの間に亘って設けられており、プランジャ５６の前側先端部５６ａが移動する移動領域の、上方、下方、及び揺動部材３１，３２とは反対側の側方を連続的に被覆している。また、当該移動領域の内側（揺動部材側）には、揺動部材３１，３２及びこれらを収容する後側第１ベース部材８３が配置されており、これら揺動部材３１，３２及び後側第１ベース部材８３によって当該移動領域の内側が覆われている。
【００６２】
次に、伝達部材６０について説明する。伝達部材６０は、プランジャ５６の前側先端部５６ａと連動し、プランジャ５６の駆動力を揺動部材３１，３２に伝達するように機能するものである。この伝達部材６０は、図７、図８に示すように、プランジャ５６の前側先端部５６ａと嵌合して当該前側先端部５６ａに固定される固定部６１と、この固定部６１からプランジャ５６に沿って後方に延びる板状の後方延出部６２とを備えている。図９に示すように、後方延出部６２は、揺動ユニット３０とこの揺動ユニット３０の斜め上方に配置されるソレノイド本体５２との間（より詳しくは、湾曲連結部３８とソレノイド本体５２との間）に配置されており、プランジャ５６の前側先端部５６ａと連動して前後動する構成をなしている。
【００６３】
図７、図８に示すように、後方延出部６２には、前後方向に長い長孔６４が形成されており、この長孔６４内に、揺動ユニット３０に形成された突起部３９が挿入されている。本実施形態では、揺動部材３１、３２を連結する湾曲連結部３８が、誘導路２６（図１４参照）の上方側において上向きに凸となる湾曲状且つアーチ状に構成されており、突起部３９は、この湾曲連結部３８の側部における揺動軸Ａ３から所定距離上方に離れた位置において、ソレノイド本体５２側に突出する形態で形成されている。
【００６４】
図９（ａ）（ｂ）に示すように、揺動ユニット３０は、突起部３９の前後動に応じ、揺動軸Ａ２を中心として揺動（回動）するようになっており、図９（ａ）、図１０（ａ）のように、プランジャ５６が突出位置となり、長孔６４が前方位置に移動したとき（即ち、ソレノイド本体５２に対する通電が解除されたとき）には、湾曲連結部３８の上端部付近が前方位置となるように揺動ユニット３０が揺動し（図１４（ａ）も参照）、揺動部材３１，３２の接触部３１ａ，３２ａが下方位置となる揺動位置（第１揺動位置）に位置決めされる。一方、図９（ｂ）、図１０（ｂ）のように、プランジャ５６が後退位置となり、長孔６４が後方位置に移動したとき（即ち、ソレノイド本体５２が通電されたとき）には、湾曲連結部３８の上端部付近が後方位置となるように揺動ユニット３０が揺動し（図１４（ｂ）も参照）、揺動部材３１，３２の接触部３１ａ，３２ａが上方位置となる揺動位置（第２揺動位置）に位置決めされることとなる。
【００６５】
本実施形態では、伝達部材６０に形成された長孔６４が、前後方向におけるソレノイド本体５２の配置領域（即ち、ソレノイド本体５２の前端部５２よりも後方側の領域）で、その一部又は全部が変位する構成をなしており、プランジャ５６の駆動力を、ソレノイド本体５２の配置領域内で揺動部材３１，３２に伝達しうるようになっている。より具体的には、図１０（ａ）に示すように、プランジャ５６が突出位置にあるときでも、長孔６４のほぼ全体が、ソレノイド本体５２の前端部５２ａよりも後方に位置しており、図１０（ｂ）に示すように、プランジャ５６が後退位置となったときには、長孔６４の全体が、前端部５２ａよりもある程度後方に位置するように変位するようになっている。
【００６６】
本実施形態では、上述したように、一対の揺動部材３１，３２が誘導路２６の上方側に配置された湾曲連結部３８によって連結された構成をなし、図１４（ａ）（ｂ）に示すように、一対の揺動部材３１，３２の揺動と連動して湾曲連結部３８の上端部付近が前後に移動する構成をなしているが、図１４（ｂ）に示すように、一対の揺動部材３１，３２が第２揺動位置となったときには、湾曲連結部３８が開口部２８（図４も参照）に当接し、当該湾曲連結部３８が当該開口部２８の湾曲形状に沿って配置されるようになっている。従って、第２揺動位置となったときには（即ち、誘導路２６に遊技球Ｂが進入可能なときには）、湾曲連結部３８が開口部２８に安定的に支持され、進入する遊技球Ｂの振動や衝突に強い構成となる。また、開口部２８の上部側内壁面と湾曲連結部３８の内壁面とが滑らかに連続する構成となるため、誘導路２６を通る遊技球Ｂを開口部２８側に円滑に誘導できるようになる。
【００６７】
（本実施形態の主な効果）
本実施形態に係る遊技機用可変入賞装置１０は、ソレノイド本体５２の前端部５２ａが揺動部材３１，３２の後端部３１ｃ，３２ｃよりも前側となる位置関係で、ソレノイド本体５２が揺動部材３１，３２の周囲に配置されている。従って、ソレノイド本体５２を揺動部材３１，３２よりも後方に配置する従来構成と比較して、前後方向のサイズを抑えることができ、後方側に嵩張らない構成とすることができる。また、プランジャ５６が、ソレノイド本体５２の励磁状態に応じ、ソレノイド本体５２よりも前方側に突出する突出位置と、この突出位置よりも後退した後退位置とで変位する構成をなしている。このように構成すると、ソレノイド本体５２をより前方側に配置した上で、更にその前方でプランジャ５６を変位させることができる。従って、プランジャやプランジャヘッドが後方側から露出するような構成と比較して、後方側からプランジャ５６に接触したり、当該プランジャ５６を操作することが困難となり、プランジャ５６付近の不正操作を効果的に防止できる。
【００６８】
一方、上記のように、ソレノイド本体５２及びプランジャ５６をより前方側に配置すると、プランジャ５６の前側先端部５６ａの動作を揺動部材３１，３２に伝達し難くなるが、本発明では、プランジャ５６の前側先端部５６ａと連動する伝達部材６０が設けられ、この伝達部材６０に設けられた長孔６４が、前後方向においてソレノイド本体５２の配置領域で変位可能とされ、揺動部材３１，３２と連動する湾曲連結部３８に接触可能とされている。従って、より前方で変位するプランジャ５６の駆動力を、揺動部材３１，３２に良好に伝達することができる。特に、長孔６４が、前後方向におけるソレノイド本体５２の配置領域（即ち、ソレノイド本体５２の前端よりも後ろの領域）で変位するため、ソレノイド本体５２をより前方に配置し、その前方側でプランジャ５６を変位させつつも、揺動部材３１，３２に力を伝達する部分（長孔６４）については、それほど前側に配置せずに済み、揺動部材３１，３２をより円滑に揺動させやすくなる。
【００６９】
また、プランジャ５６が後退位置となったときの前側先端部５６ａの位置が、揺動部材３１，３２の揺動軸Ａ３よりも前方位置となる構成で配置されている。このようにすると、プランジャ５６をより前方側で変位させることができ、不正防止効果が一層高まる。また、揺動軸Ａ３をそれほど前側位置とする必要がなく、揺動軸Ａ３から接触部３１ａ，３２ａ（回動片と接触する部分）までの長さを短くし過ぎることなく適切な長さに設定しやすくなる。
【００７０】
また、揺動部材３１，３２の揺動軸Ａ３が、ソレノイド本体５２の前端部５２ａよりも後方に位置している。このようにすると、ソレノイド本体５２をより一層前方に配置することができるため、装置全体の前後方向のサイズを一層小さくすることができる。また、揺動軸Ａ３がソレノイド本体５２の前端部５２ａよりも後ろに位置するため、前後方向のサイズをコンパクト化しつつも、揺動軸Ａ３から接触部３１ａ，３２ａ（回動片と接触する部分）までの長さについては適切な長さを確保しやすくなる。
【００７１】
また、遊技盤２の盤面２ａに沿って配置される台板７２を備えており、アクチュエータ５０が、この台板７２の後方側に配置されている。そして、プランジャ５６の前側先端部５６ａが、ソレノイド本体５２と台板７２との間を前後に往復動する構成をなしている。このようにすると、台板７２の後方領域を利用してアクチュエータ５０をより前方側に配置することができる。また、台板７２とソレノイド本体５２との間をプランジャ５６の前側先端部５６ａが往復動する構成であるため、前側先端部５６ａの移動領域の前方が台板７２で覆われ、後方がソレノイド本体５２に覆われた格好となる。従って、プランジャ５６の前側先端部５６ａを、後方側から接触、操作することも、前方側から接触、操作することも困難となり、プランジャ５６の前側先端部５６ａに対する不正操作をより一層効果的に防止することができる。
【００７２】
また、遊技盤２に形成された取付孔２ｂに挿入された状態で遊技機１に配置される保持フレーム７４を備えており、この保持フレーム７４が、台板７２から後方側に延出する構成をなしている。そして、アクチュエータ５０は、遊技機用可変入賞装置１０を遊技盤２に取り付けたときに、プランジャ５６の前側先端部５６ａが取付孔２ｂ内に収容されるような構成で、保持フレーム７４に保持されている。このようにすると、当該遊技機用可変入賞装置１０が遊技盤２に取り付けられた際に、プランジャ５６の前側先端部５６ａが取付孔２ｂに収容された状態で当該取付孔２ｂ内を移動することとなり、プランジャ５６の前側先端部５６ａに対する不正操作が極めて困難となる。
【００７３】
また、アクチュエータ５０は、揺動部材３１，３２の側方に配置され、プランジャ５６の前側先端部５６ａが移動する移動領域の、上方、下方、及び揺動部材３１，３２とは反対側の側方を連続的に被覆する被覆部７６が、台板７２とソレノイド本体５２の前端部５２ａとの間に亘って設けられている。このようにすると、前側先端部５６ａの移動領域の前後がそれぞれ、台板７２とソレノイド本体５２とで覆われると共に、台板７２からソレノイド本体５２の位置に至るまで、移動領域の外周が被覆部７６に覆われることとなる。従って、プランジャ５６の前側先端部５６ａに対する前後、左右、上下いずれからの接触、操作も極めて困難となる。
【００７４】
また、ソレノイド本体５２は、揺動部材３１の斜め上方に配置され、揺動部材３１と上下に重なる上下重畳部と、揺動部材３１と左右に重なる左右重畳部とを有している。このようにすると、ソレノイド本体５２を揺動部材３１，３２の周囲に配置して前後方向のコンパクト化を図りつつ、上下方向及び左右方向の嵩張りをも極力抑えることができる。
【００７５】
また、入賞口２０の上方に上部入賞口４０が設けられ、上部入賞口４０の後方には、当該上部入賞口４０に進入した遊技球Ｂを後方に誘導する上部誘導路４６が設けられており、入賞口２０の後方には、当該入賞口２０に進入した遊技球Ｂを後方に誘導する誘導路２６が設けられている。そして、ソレノイド本体５２が、上部誘導路４６及び誘導路２６の側方に配置され、当該ソレノイド本体５２の一部が、上部誘導路４６と誘導路２６との間に入り込んだ構成をなしている。このようにすると、ソレノイド本体５２を上部誘導路４６及び誘導路２６の側方に配置して前後方向のサイズを抑えると共に、上部誘導路４６と誘導路２６との間のスペースを利用してソレノイド本体５２の一部を配置し、左右方向の嵩張りをも抑えることができ、装置全体を一層小型化することができる。
【００７６】
また、入賞口２０の後方において、入賞口２０に進入した遊技球Ｂを、一対の揺動部材３１，３２の間を通して後方に誘導する誘導路２６が設けられ、この誘導路２６の後端側には、当該誘導路２６を移動する遊技球Ｂを通す開口部２８が形成されている。また、一対の揺動部材３１，３２が誘導路２６の上方に配置される湾曲形態の湾曲連結部３８によって連結され、この湾曲連結部３８は、一対の揺動部材３１，３２の揺動に応じて上部側が前後に移動し、これら一対の揺動部材３１，３２が第２揺動位置となったときに、開口部２８に当接し、当該開口部２８の湾曲形状に沿って配置される構成をなしている。このようにすると、単一の駆動源によって一対の揺動部材３１，３２を一体的に駆動でき、入賞口２０の開放状態が相対的に入賞しやすい状態（第２状態）となるときに、湾曲連結部３８を開口部２８に当接させて安定的に位置決めすることができる。また、湾曲連結部３８が開口部２８に当接するときには、当該湾曲連結部３８が開口部２８の湾曲形状に沿って配置されるため、湾曲連結部３８と開口部２８との形状的な連続性が高くなり、誘導路２６を通る遊技球Ｂをより円滑に開口部２８に案内しやすくなる。
【００７７】
［他の実施形態]
本発明は上記記述及び図面によって説明した実施形態に限定されるものではなく、例えば次のような実施形態も本発明の技術的範囲に含まれる。
【００７８】
上記実施形態では、一対の回動片２１，２２を備えた入賞装置１０を例示したが、回動片が１つのみの構成であってもよく、３以上の回動片を備えた構成であってもよい。
【００７９】
上記実施形態では、上部入賞口４０を備えた入賞装置１０を例示したが、このような上部入賞口４０が設けられない構成であってもよく、これ以外の入賞口を備えるような構成であってもよい。
【００８０】
上記実施形態では、図１に示すパチンコ機を例示したが、遊技球が流下する構成であれば、公知の様々な遊技機に適用することができる。
【符号の説明】
【００８１】
１…遊技機
２…遊技盤
２ａ…盤面
２ｂ…取付孔
１０…遊技機用可変入賞装置
２０…入賞口
２１，２２…回動片
２６…誘導路（下部誘導路）
２８…開口部
３１，３２…揺動部材
３１ａ，３２ａ…接触部
３１ｃ，３２ｃ…揺動部材の後端部
３８…湾曲連結部
４０…上部入賞口
４６…上部誘導路
５０…アクチュエータ
５２…ソレノイド本体
５２ａ…ソレノイド本体の前端部
５６…プランジャ
５６ａ…前側先端部
６０…伝達部材
６４…長孔（作用部）
７２…台板
７４…保持フレーム
７６…被覆部
Ａ１，Ａ２…回動軸線
Ａ３…揺動軸
Ｂ…遊技球
【図１】
0005522657.tif 000002
【図２】
0005522657.tif 000003
【図３】
0005522657.tif 000004
【図４】
0005522657.tif 000005
【図５】
0005522657.tif 000006
【図６】
0005522657.tif 000007
【図７】
0005522657.tif 000008
【図８】
0005522657.tif 000009
【図９】
0005522657.tif 000010
【図１０】
0005522657.tif 000011
【図１１】
0005522657.tif 000012
【図１２】
0005522657.tif 000013
【図１３】
0005522657.tif 000014
【図１４】
0005522657.tif 000015